(57)【要約】【課題】本発明は、化粧単板が乾燥により幅反りを起こすことなく、かつ使用済み廃材を分別作業することなく廃棄することができる床材及びその製造方法を提供することを目的とする。【解決手段】本発明の床材は、短冊板１を横置き状に隙間ｔを空けて多数縦方向に並べた床基材２を形成し、該床基材２の各短冊板１上面に接着剤を介して各短冊板１に直交する縦方向に化粧単板３を固定し、さらに、前記床基材２の各短冊板１下面に接着剤を介して前記短冊板１に直交する縦方向に複数のＶ溝（図示せず）を形成した裏単板４を固定したものである。したがって、本発明の床材は、上面に化粧単板３及び下面に裏単板４が配置され、前記化粧板３及び裏単板４に挟まれるように短冊板１が横置き状に配置されるので、化粧単板３の幅反りを防止することができる。【選択図】  図１
2004332289.tif 000002
【特許請求の範囲】
【請求項１】
短冊板を横置き状に隙間を空けて多数縦方向に並べた床基材を形成し、該床基材の各短冊板上面に接着剤を介して各短冊板に直交する縦方向に化粧単板を固定し、さらに前記床基材の各短冊板下面に接着剤を介して前記短冊板に直交する縦方向に裏単板を固定したことを特徴とする床材。
【請求項２】
厚さＨ及び幅Ｌの厚板材を等間隔Ｗで長手方向に切断し、横倒しにして厚さＷ及び幅Ｈの各細長挽板を形成し、厚さＷ及び幅Ｈの各細長挽板を多数横置き状に縦方向に並べ、上方に配置した回転刃溝切り装置により順送りしながら前記細長挽板の上面に凹溝を形成し、前記回転刃溝切り装置の下流側に設けた紙紐挿入装置により各細長挽板に隣接する単板との隙間を保ちながら前記凹溝に紙紐を挿入し、前記凹溝に紙紐を挿入された各細長挽板は、紙紐で各細長挽板間の隙間姿勢が保持された状態で上面に接着剤が塗布され、各細長挽板の上面に矩形の化粧単板が接着され、さらに各細長挽板の下面に矩形の裏単板が接着され、矩形の化粧単板及び裏単板を各細長挽板の横置き状と直交する方向に切断し、化粧単板及び裏単板を備えた細長板状の床材を形成し、さらに凹刃又は凸刃を備えたフライスカッターにより前記床材の長手方向の両側面及び両木口面に凸条又は凹条の嵌合部を形成し、該嵌合部を備えた床材を製造することを特徴とする床材の製造方法。
【発明の詳細な説明】
【０００１】
【発明の属する技術分野】
本発明は、化粧単板が乾燥により幅反りを起こすことなく、かつ使用済み廃材を分別作業することなく廃棄することができる床材及びその製造方法に関する。
【０００２】
【従来の技術】
従来、床材は、木材基材に化粧単板を接着したものが使用されているため、長期間の使用時に乾燥により化粧単板及び木材基材に幅反りが生じた。
そのため、木材基材に細溝を形成して木材の乾燥による反りを防止していた。。
また、木質繊維板で構成される基板の表面に化粧単板が貼着されてなる直貼り床材において、長手方向に生ずる反りを緩和させるため、床材基板裏面から、化粧単板の繊維方向と直交する方向で複数本の溝を刻設し、前記裏面に緩衝層を形成したものが知られている。
【０００３】
【特許文献】
公知文献として、特開平１１−２７０１１３号公報があり、図９に示すように、所定の板厚の木質繊維板からなる基板２の表面に、化粧単板層３、裏面に裏打ち単板層４および緩衝層５を形成し、前記化粧単板と前記裏打ち単板の繊維方向が概ね直交する方向に配向し、床材１の裏面から緩衝層５及び裏打ち単板層４を貫通し、前記基板２に達する溝６を前記裏打ち単板の繊維方向に概ね平行する方向に、複数本刻設した床材である。
【０００４】
【発明が解決しようとする課題】
そこで、本発明は、化粧単板が乾燥により幅反りを起こすことなく、かつ使用済み廃材を分別作業することなく廃棄することができる床材及びその製造方法を提供することを目的とする。
【０００５】
【課題を解決するための手段】
本発明の床材は、短冊板を横置き状に隙間を空けて多数縦方向に並べた床基材を形成し、該床基材の各短冊板上面に接着剤を介して各短冊板に直交する縦方向に化粧単板を固定し、さらに前記床基材の各短冊板下面に接着剤を介して前記短冊板に直交する縦方向に裏単板を固定したものである。
本発明の床材の製造方法は、厚さＨ及び幅Ｌの厚板材を等間隔Ｗで長手方向に切断し、横倒しにして厚さＷ及び幅Ｈの各細長挽板を形成し、厚さＷ及び幅Ｈの各細長挽板を多数横置き状に縦方向に並べ、上方に配置した回転刃溝切り装置により順送りしながら前記細長挽板の上面に凹溝を形成し、前記回転刃溝切り装置の下流側に設けた紙紐挿入装置により各細長挽板に隣接する単板との隙間を保ちながら前記凹溝に紙紐を挿入し、前記凹溝に紙紐を挿入された各細長挽板は、紙紐で各細長挽板間の隙間姿勢が保持された状態で上面に接着剤が塗布され、各細長挽板の上面に矩形の化粧単板が接着され、さらに各細長挽板の下面に矩形の裏単板が接着され、矩形の化粧単板及び裏単板を各細長挽板の横置き状と直交する方向に切断し、化粧単板及び裏単板を備えた細長板状の床材を形成し、さらに凹刃又は凸刃を備えたフライスカッターにより前記床材の長手方向の両側面及び両木口面に凸条又は凹条の嵌合部を形成し、該嵌合部を備えた床材を製造するものである。
【０００６】
【実施例】
本発明の床材の一実施例を図面に基づいて説明する。
図１に示すように、本発明の床材は、短冊板１を横置き状に隙間ｔを空けて多数縦方向に並べた床基材２を形成し、該床基材２の各短冊板１上面に接着剤を介して各短冊板１に直交する縦方向に化粧単板３を固定し、さらに図２に示すように、前記床基材２の各短冊板１下面に接着剤を介して前記短冊板１に直交する縦方向に複数のＶ溝（図示せず）を形成した裏単板４を固定したものである。
したがって、本発明の床材は、裏返した図３に示すように、下面に化粧単板３及び上面に裏単板４が配置され、前記化粧板３及び裏単板４に挟まれるように短冊板１が横置き状に配置されるので、化粧単板３の幅反りを防止することができる。
なお、前記短冊板１の図３に示す両側面及び図２に示す両木口には、実（さね）接ぎで凹凸嵌合させるための凹条５又は凸条６をぞれぞれ備える。
また、コンクリート床用フローリングとして利用する場合には、裏返した図４に示すように、前記裏単板４に代えてポリエチレン樹脂板７を接着固定すればよい。
【０００７】
次に、本発明の床材の製造方法を以下に説明する。
図５に示すように、秋田杉などの針葉樹からなる厚さＨ＝３０ｍｍ及び幅Ｌ＝１５０ｍｍの厚板材を等間隔Ｗ＝８ｍｍで長手方向に切断し、横倒しにして厚さＷ＝８ｍｍ及び幅Ｈ＝３０ｍｍの各細長挽板を形成する。
【０００８】
次に、図６に示すように、厚さＷ＝８ｍｍ及び幅Ｈ＝３０ｍｍの各細長挽板を多数横置き状に縦方向に並べ、上方に２〜３基の回転刃溝切り装置８を配置し、所定間隔で多数横置き状に縦方向に並べられた各細長挽板の上面に順送りしながら凹溝を形成する。
前記回転刃溝切り装置８は、各細長挽板に隣接する各細長挽板との間隔をあけながら各細長挽板の上面に凹溝を形成し、前記回転刃溝切り装置８の下流側には前記凹溝に紙紐９を挿入する紙紐挿入装置（図示せず）が設けられる。
前記紙紐挿入装置（図示せず）は、各細長挽板に隣接する単板との間隔を保ちながら前記凹溝に紙紐９を挿入する。
【０００９】
前記凹溝に紙紐９を挿入された各細長挽板は、図７に示すように、紙紐９で各細長挽板間の姿勢が保持された状態で上面に接着剤が塗布され、各細長挽板の上面に矩形の化粧単板３が接着され、さらに、各細長挽板の下面に矩形の裏単板４が接着される。
そして、矩形の化粧単板３及び裏単板４を各細長挽板の横置き状と直交する方向、すなわち化粧単板３が接着された各細長挽板を短冊板１に切断する方向Ｓ、に切断し、化粧単板３及び裏単板４を備えた細長板状の床材を形成する。
【００１０】
さらに、凹刃又は凸刃を備えたフライスカッターにより、図８に示すように、前記床材の長手方向の両側面及び両木口面に凹条５又は凸条６の嵌合部を形成し、床材を完成する。
なお、用途に応じて、裏単板４に代えてポリエチレン樹脂板７が各細長挽板の下面に接着され、上記と同様に製造される。
【００１１】
【効果】
以上述べた如く、本発明の床材は、化粧単板及び裏単板に各短冊板の横置き状に接着されているので、木材の乾燥による化粧単板の幅反りが防止される。
また、本発明の床材の製造方法によれば、化粧単板の幅反りが防止された床材が大量生産できると共に、紙紐を利用しているので廃材は分別作業を行うことなく廃棄処分することができる。
【図面の簡単な説明】
【図１】本発明の床材の一部を破断した平面図である。
【図２】本発明の床材の右側面図である。
【図３】本発明の床材の裏返した断面図である。
【図４】本発明のコンクリート用床材の裏返した断面図である。
【図５】厚板材の切断工程の説明図である。
【図６】凹溝を形成及び紙紐挿入工程の説明図である。
【図７】床基材の切断工程の説明図である。
【図８】床基材の凹条及び凸条形成工程の説明図である。
【図９】従来の床材の断面図である。
【符号の説明】
１  短冊板
２  床基材
３  化粧単板
４  裏単板
５  凹条
６  凸条
７  ポリエチレン樹脂板
８  回転刃溝切り装置
９  紙紐
【図１】
2004332289.tif 000003
【図２】
2004332289.tif 000004
【図３】
2004332289.tif 000005
【図４】
2004332289.tif 000006
【図５】
2004332289.tif 000007
【図６】
2004332289.tif 000008
【図７】
2004332289.tif 000009
【図８】
2004332289.tif 000010
【図９】
2004332289.tif 000011